【手続補正書】
【提出日】平成17年9月16日(2005.9.16)
【手続補正１】
【補正対象書類名】明細書
【補正対象項目名】特許請求の範囲
【補正方法】変更
【補正の内容】
【特許請求の範囲】
【請求項１】  放射線撮影によって記録された画像を読み取り、画像データを作成するステップ（ａ）と、
前記画像の放射線撮影における撮影条件に基づいて、画面上に表示する撮影情報を表す撮影情報データを作成するステップ（ｂ）と、
ステップ（ｂ）において作成された撮影情報データによって表される撮影情報を付加する画面上の位置及び大きさを決定するステップ（ｃ）と、
前記撮影情報データを、前記画像データ又は前記画像データに付帯する画像付帯情報に付加して出力するステップ（ｄ）と、
を具備する医用画像処理方法。
【請求項２】  ステップ（ａ）が、前記画像の放射線撮影における撮影条件に関する情報を含む画像付帯情報を作成するステップを含み、
ステップ（ｂ）が、前記画像付帯情報に基づいて、複数種類の撮影情報データの中から１種類の撮影情報データを自動的に選択することを特徴とする請求項１記載の医用画像処理方法。
【請求項３】  ステップ（ｂ）が、ユーザの指示に基づいて撮影情報データを選択することを特徴とする請求項１記載の医用画像処理方法。
【請求項４】  複数種類の撮影条件に対応して入力された文字列を複数種類の画像データに変換するステップと、
複数種類の画像データを複数種類の撮影情報データとして記録するステップと、
をさらに具備する請求項１〜３のいずれか１項記載の医用画像処理方法。
【請求項５】  ステップ（ｄ）が、前記撮影情報データを、ステップ（ｃ）において決定された画面上の位置及び大きさに従って、前記画像データに埋め込んで出力することを特徴とする請求項１〜４のいずれか１項記載の医用画像処理方法。
【請求項６】  ステップ（ｄ）が、前記撮影情報データを、前記画像付帯情報に付加して出力することを特徴とする請求項１〜４のいずれか１項記載の医用画像処理方法。
【請求項７】  ステップ（ｂ）において作成された撮影情報データを変更するステップをさらに具備する請求項１〜６のいずれか１項記載の医用画像処理方法。
【請求項８】  放射線撮影によって記録され、画像読取り装置によって読み取られた画像を表す画像データと、前記画像の放射線撮影における撮影条件に関する情報を含む画像付帯情報とを受信するステップ（ａ）と、
前記画像付帯情報に基づいて、画面上に表示する撮影情報を表す撮影情報データを作成するステップ（ｂ）と、
ステップ（ｂ）において作成された撮影情報データによって表される撮影情報を付加する画面上の位置及び大きさを決定するステップ（ｃ）と、
前記撮影情報データを、前記画像データ又は前記画像付帯情報に付加して出力するステップ（ｄ）と、
を具備する医用画像処理方法。
【請求項９】  前記画像付帯情報が、画像のサイズに関する情報と、画像の回転や反転に関する情報とをさらに含むことを特徴とする請求項８記載の医用画像処理方法。
【請求項１０】  ステップ（ｄ）が、前記撮影情報データを、ステップ（ｃ）において決定された画面上の位置及び大きさに従って、前記画像データに埋め込んで出力することを特徴とする請求項８又は９記載の医用画像処理方法。
【請求項１１】  ステップ（ｄ）が、前記撮影情報データを、前記画像付帯情報に付加して出力することを特徴とする請求項８又は９記載の医用画像処理方法。
【請求項１２】  ステップ（ｂ）において作成された撮影情報データを変更するステップをさらに具備する請求項８〜１１のいずれか１項記載の医用画像処理方法。
【請求項１３】  放射線撮影によって記録された画像を読み取り、画像データを作成する第１の手段と、
前記画像の放射線撮影における撮影条件に基づいて、画面上に表示する撮影情報を表す撮影情報データを作成する第２の手段と、
前記第２の手段によって作成された撮影情報データによって表される撮影情報を付加する画面上の位置及び大きさを決定する第３の手段と、
前記撮影情報データを、前記画像データ又は前記画像データに付帯する画像付帯情報に付加して出力する第４の手段と、
を具備する医用画像処理装置。
【請求項１４】  前記第１の手段が、前記画像の放射線撮影における撮影条件に関する情報を含む画像付帯情報を作成し、
前記第２の手段が、前記画像付帯情報に基づいて撮影情報データを自動的に選択することを特徴とする請求項１３記載の医用画像処理装置。
【請求項１５】  前記第２の手段が、ユーザの指示に基づいて撮影情報データを選択することを特徴とする請求項１３記載の医用画像処理装置。
【請求項１６】  複数種類の撮影条件に対応して入力された文字列を複数種類の画像データに変換する手段と、
複数種類の画像データを複数種類の撮影情報データとして記録する手段と、
をさらに具備する請求項１３〜１５のいずれか１項記載の医用画像処理装置。
【請求項１７】  前記第４の手段が、前記撮影情報データを、前記第３の手段によって決定された画面上の位置及び大きさに従って、前記画像データに埋め込んで出力することを特徴とする請求項１３〜１６のいずれか１項記載の医用画像処理装置。
【請求項１８】  前記第４の手段が、前記撮影情報データを、前記画像付帯情報に付加して出力することを特徴とする請求項１３〜１６のいずれか１項記載の医用画像処理装置。
【請求項１９】  前記第２の手段によって作成された撮影情報データを変更する手段をさらに具備する請求項１３〜１８のいずれか１項記載の医用画像処理装置。
【請求項２０】  放射線撮影によって記録され、画像読取り装置によって読み取られた画像を表す画像データと、前記画像の放射線撮影における撮影条件に関する情報を含む画像付帯情報とを受信する第１の手段と、
前記画像付帯情報に基づいて、画面上に表示する撮影情報を表す撮影情報データを作成する第２の手段と、
前記第２の手段によって作成された撮影情報データによって表される撮影情報を付加する画面上の位置及び大きさを決定する第３の手段と、
前記撮影情報データを、前記画像データ又は前記画像付帯情報に付加して出力する第４の手段と、
を具備する医用画像処理装置。
【請求項２１】  前記画像付帯情報が、画像のサイズに関する情報と、画像の回転や反転に関する情報とをさらに含むことを特徴とする請求項２０記載の医用画像処理方法。
【請求項２２】  前記第４の手段が、前記撮影情報データを、前記第３の手段において決定された画面上の位置及び大きさに従って、前記画像データに埋め込んで出力することを特徴とする請求項２０又は２１記載の医用画像処理装置。
【請求項２３】  前記第４の手段が、前記撮影情報データを、前記画像付帯情報に付加して出力することを特徴とする請求項２０又は２１記載の医用画像処理装置。
【請求項２４】  前記第２の手段によって作成された撮影情報データを変更する手段をさらに具備する請求項２０〜２３のいずれか１項記載の医用画像処理装置。
【手続補正２】
【補正対象書類名】明細書
【補正対象項目名】０００７
【補正方法】変更
【補正の内容】
【０００７】
そこで、上記の点に鑑み、本発明は、放射線撮影により得た画像データに撮影情報に関する文字データや画像データを埋め込む際に、画像毎に手作業で埋め込む手間をなくし、自動的に文字データや画像データを付加して出力できる医用画像処理方法及び医用画像処理装置を提供することを目的とする。また、本発明は、任意の文字データや画像データを簡単に付加することのできる医用画像処理方法および医用画像処理装置を提供することを目的とする。
【手続補正３】
【補正対象書類名】明細書
【補正対象項目名】０００８
【補正方法】変更
【補正の内容】
【０００８】
【課題を解決するための手段】
以上の課題を解決するため、本発明の第１の観点に係る医用画像処理方法は、放射線撮影によって記録された画像を読み取り、画像データを作成するステップ（ａ）と、上記画像の放射線撮影における撮影条件に基づいて、画面上に表示する撮影情報を表す撮影情報データを作成するステップ（ｂ）と、ステップ（ｂ）において作成された撮影情報データによって表される撮影情報を付加する画面上の位置及び大きさを決定するステップ（ｃ）と、撮影情報データを、画像データ又は画像データに付帯する画像付帯情報に付加して出力するステップ（ｄ）とを具備する。
【手続補正４】
【補正対象書類名】明細書
【補正対象項目名】０００９
【補正方法】変更
【補正の内容】
【０００９】
また、本発明の第２の観点に係る医用画像処理方法は、放射線撮影によって記録され、画像読取り装置によって読み取られた画像を表す画像データと、該画像の放射線撮影における撮影条件に関する情報を含む画像付帯情報とを受信するステップ（ａ）と、画像付帯情報に基づいて、画面上に表示する撮影情報を表す撮影情報データを作成するステップ（ｂ）と、ステップ（ｂ）において作成された撮影情報データによって表される撮影情報を付加する画面上の位置及び大きさを決定するステップ（ｃ）と、撮影情報データを、画像データ又は画像付帯情報に付加して出力するステップ（ｄ）とを具備する。
【手続補正５】
【補正対象書類名】明細書
【補正対象項目名】００１０
【補正方法】変更
【補正の内容】
【００１０】
本発明の第１の観点に係る医用画像処理装置は、放射線撮影によって記録された画像を読み取り、画像データを作成する第１の手段と、上記画像の放射線撮影における撮影条件に基づいて、画面上に表示する撮影情報を表す撮影情報データを作成する第２の手段と、第２の手段によって作成された撮影情報データによって表される撮影情報を付加する画面上の位置及び大きさを決定する第３の手段と、撮影情報データを、画像データ又は画像データに付帯する画像付帯情報に付加して出力する第４の手段とを具備する。
【手続補正６】
【補正対象書類名】明細書
【補正対象項目名】００１１
【補正方法】変更
【補正の内容】
【００１１】
また、本発明の第２の観点に係る医用画像処理装置は、放射線撮影によって記録され、画像読取り装置によって読み取られた画像を表す画像データと、該画像の放射線撮影における撮影条件に関する情報を含む画像付帯情報とを受信する第１の手段と、画像付帯情報に基づいて、画面上に表示する撮影情報を表す撮影情報データを作成する第２の手段と、第２の手段によって作成された撮影情報データによって表される撮影情報を付加する画面上の位置及び大きさを決定する第３の手段と、撮影情報データを、画像データ又は画像付帯情報に付加して出力する第４の手段とを具備する。
【手続補正７】
【補正対象書類名】明細書
【補正対象項目名】００１３
【補正方法】変更
【補正の内容】
【００１３】
図１は、本発明の第１の実施形態に係る医用画像処理装置の構成を示している。
ここで放射線撮影に用いられる記録シート（輝尽性蛍光体シート）は、輝尽性蛍光体物質を塗布したものであり、放射線を照射されることにより被写体の情報を記録する。上記記録シートに記録されている情報は読取り部１により光電的に読み取られてデータ変換され、画像データ及びそれに付随するデータ（画像付帯情報）は処理部に送信される。
【手続補正８】
【補正対象書類名】明細書
【補正対象項目名】００１４
【補正方法】変更
【補正の内容】
【００１４】
ここで、画像付帯情報とは、当該画像に付随するデータであり、被写体の氏名や、画像のデータサイズや、撮影時の走査方向や、撮影条件等が含まれている。また、撮影条件には、当該画像の放射線撮影を行った時の被写体の撮影部位や、撮影方向即ち放射線の照射方向や、撮影方法等が含まれている。
【手続補正９】
【補正対象書類名】明細書
【補正対象項目名】００２７
【補正方法】変更
【補正の内容】
【００２７】
さらに、撮影情報を直接画像中に埋め込むか否かの選択は、出力先の装置によって変えられるようにしても良い。即ち、出力先の装置が、画像付帯情報を基に撮影情報データを画像データに埋め込む機能を持っている場合には、画像データと画像付帯情報とをそれぞれ保存し、出力先の装置が上記機能を持っていない場合には、画像データ中に撮影情報データを埋め込んで出力するように設定する。
【手続補正１０】
【補正対象書類名】明細書
【補正対象項目名】００２９
【補正方法】変更
【補正の内容】
【００２９】
次に、本発明の第２の実施形態に係る医用画像処理装置について説明する。
図３は、本発明の第２の実施形態に係る医用画像処理装置を含む医用画像処理システムの構成を示している。図３において、ユーザが作成した任意の撮影情報を登録する撮影情報登録部３０と、登録されている撮影情報の中から埋め込む撮影情報を選択する命令を入力する撮影情報入力部３３が付加されている。撮影情報登録部３０は、ユーザが入力した撮影情報の文字列を画像データに変換することによって撮影情報データを得るビットマップ変換部３２と、得られた撮影情報データを処理して表示させるビットマップ処理部３１とを含んでいる。また、撮影情報入力部３３は、登録されている撮影情報データを読み出して表示させるビットマップ読出部３６と、ユーザの指示により撮影情報データを選択するビットマップ選択部３４と、選択された撮影情報データを画像データに重畳するビットマップ重畳部３５とを含んでいる。
【手続補正１１】
【補正対象書類名】明細書
【補正対象項目名】００３０
【補正方法】変更
【補正の内容】
【００３０】
次に、本発明の第２の実施形態に係る医用画像処理方法について説明する。図４は、本発明の第２の実施形態に係る医用画像処理方法を示すフローチャートである。
画像への撮影情報の埋め込みに先立って、ユーザは予め必要な撮影情報を登録しておく。図４において、まず、入力部から命令することにより撮影情報を登録する機能を起動させる（ステップＳ１１）。次に、使用する撮影情報の文字列を入力する（ステップＳ１２）。入力された文字列はビットマップ変換部３２（図３）において、ビットマップに変換される（ステップＳ１３）。ビットマップに変換された撮影情報は、ビットマップ処理部３１（図３）を介して、ディスプレイに表示される（ステップＳ１４）。ユーザがこれを確認し（ステップＳ１５）、間違いがなければ、撮影情報データが記録媒体に保存される（ステップＳ１６）。また、ステップＳ１５において、間違いがあったり、やり直したい場合は、ステップＳ１２に戻って文字列を入力し直すことができる。
【手続補正１２】
【補正対象書類名】明細書
【補正対象項目名】００３１
【補正方法】変更
【補正の内容】
【００３１】
次に、撮影情報を画像に埋め込む方法について説明する。
図４において、まず、画像データ及び画像付帯情報を受信する（ステップＳ１）。これらの画像データ及び画像付帯情報は、外部の装置で生成されたものを受信して用いても良いし、画像処理装置内において生成しても良い。次に、入力部から命令することにより、手動による撮影情報入力機能を起動させる（ステップＳ２１）。すると、ビットマップ読出部３６（図３）は、登録され保存されているビットマップ変換された撮影情報の一覧を読み出し、ディスプレイに表示させる（ステップＳ２２）。
【手続補正１３】
【補正対象書類名】明細書
【補正対象項目名】００３２
【補正方法】変更
【補正の内容】
【００３２】
ユーザは画面を見ながら、表示されている撮影情報の一覧から所望の撮影情報を選択し（ステップＳ２３）、画像上の所望の位置と撮影情報の大きさを選択する（ステップＳ２４）。撮影情報の位置と大きさは、マウス等を用いてディスプレイ上で指定することにより、ユーザが自由に選択できる。選択された撮影情報の撮影情報データは、撮影情報を埋め込む位置及び大きさに関するデータと共に画像作成部に入力される。画像作成部は、画像データに撮影情報を重ね合わせて出力し、ディスプレイに画像を表示させる（ステップＳ２５）。
【手続補正１４】
【補正対象書類名】明細書
【補正対象項目名】００３５
【補正方法】変更
【補正の内容】
【００３５】
次に、本発明の第３の実施形態に係る医用画像処理方法について説明する。本実施形態は、本発明の第１の実施形態に係る医用画像処理方法と本発明の第２の実施形態に係る医用画像処理方法とを組み合わせたものである。即ち、本実施形態によれば、撮影情報を撮影条件に応じて自動的に埋め込む機能と、任意の撮影情報を手動で簡単に埋め込む機能とを併せて用いることができる。
【手続補正１５】
【補正対象書類名】明細書
【補正対象項目名】００３６
【補正方法】変更
【補正の内容】
【００３６】
図５は、本発明の第３の実施形態に係る医用画像処理装置を含む医用画像処理システムの構成を示している。本画像処理装置は、撮影情報を自動選択する撮影情報データ選択部２３と、撮影情報を付加する位置と大きさを自動選択するデータ付加位置選択部２４と、任意の撮影情報を登録する撮影情報登録部３０と、登録されている撮影情報の中から埋め込む撮影情報を選択する命令を入力する撮影情報入力部３３とを含んでいる。
【手続補正１６】
【補正対象書類名】明細書
【補正対象項目名】符号の説明
【補正方法】変更
【補正の内容】
【符号の説明】
１  読取り部
２  処理部
３、６１  入力部
４  表示部
５  外部装置
１０  ＣＰＵ
１１  ネットワークインタフェース
１３、１４  インタフェース
１５  外部インタフェース
１６  メモリ
１７  ハードディスク
１８  ディスク制御部
２１  画像作成部
２２  画像付帯情報処理部
２３  撮影情報データ選択部
２４  データ付加位置選択部
２５  出力部
２６  画像処理部
３０  撮影情報登録部
３１  ビットマップ処理部
３２  ビットマップ変換部
３３  撮影情報入力部
３４  ビットマップ選択部
３５  ビットマップ重畳部
３６ ビットマップ読出部
４０  輝尽性蛍光体シート
４１、４５  モータ
４２  シート搬送手段
４３  レーザ光源
４４  ビーム（励起光）
４６  回転多面鏡
４７  収束レンズ
４８  ミラー
４９  輝尽発光光
５０  光ガイド
５１  フォトマルチプライヤ（光電子増倍管）
５２  増幅器
５３  Ａ／Ｄ変換器
６０  画像処理装置
６２  駆動部
６３  画像表示装置
６４  本体部
１００  医用画像読取り装置
【手続補正１７】
【補正対象書類名】図面
【補正対象項目名】図３
【補正方法】変更
【補正の内容】
【図３】
2002158863.tif 000001
【手続き補正１８】
【補正対象書類名】  図面
【補正対象項目名】  図５
【補正方法】        変更
【補正の内容】
【図５】
2002158863.tif 000002